(57)【特許請求の範囲】
【請求項１】
回転駆動部材に連結されて巻取り回転する駆動側回転体及び該駆動側回転体に対して合成樹脂シートの巻取り直交方向幅の間隔をおいて相対配置される従転側回転体の間にて軸線周りに等間隔をおいて設けられた複数本の巻付け軸に合成樹脂シートを巻付けて巻取る合成樹脂シート巻取りシャフトにおいて、
上記駆動側回転体は、回転駆動部材に対して係脱可能に連結され、上記従動側回転体に相対する面に複数の軸支部が軸線周りに等間隔で設けられた駆動側ディスクを備えると共に上記従動側回転体は、各巻付け軸の他方端部が挿通されて半径方向へ移動可能な長孔を有し、かつ駆動側回転体に相対する側にテーパ状のガイド部を有した大径状の拡径保持部材が中空部内にて着脱可能に取付けられる有底円筒形状の従動側ドラムを備え、
上記各巻付け軸の一方端部は、上記駆動回転体の各軸支部に対して巻付け軸が半径方向へ搖動するように軸支されると共に、
上記各巻付け軸の他方端部は、上記従転側ドラムの中空部内に取り付けられた拡径保持部材の大径部及び従動側ドラムとの協働により各巻付け軸の軸線が互いに平行になる拡径状態に固定され、
巻付け軸から巻取られた合成樹脂シートロールを取外す際には、従転側回転体から拡径保持部材を取外して巻付け軸他方端部の固定状態を解除して各巻付け軸を他方端部が互いに近づく縮径方向へ搖動して巻取られた合成樹脂シートロールを各巻付け軸から抜取り可能にする合成樹脂シート巻取りシャフト。
【請求項２】
請求項１において、
駆動側回転体及び従転側回転体は、支持ローラ上にて回転可能に支持されると共に回転駆動部材は駆動側回転体に対して係脱可能に取付けられる合成樹脂シート巻取りシャフト。
【発明の詳細な説明】
【技術分野】
【０００１】
本発明は、合成樹脂シート（本発明において、合成樹脂シートは、新たに製造されたシート、シートからラベル等を打ち抜いたスクラップシートやこれらのフィルムを含む。以下、合成樹脂シートを単にシートと称する。）を巻き取る合成樹脂シート巻取りシャフトに関する。
【背景技術】
【０００２】
製造されたシートや加工後のシートにあっては、次処理における取扱いを容易化したり、保管を効率化したりするため、巻取りシャフトの外周面に巻き付けてロール状に形成した後、ロール状シートの中心部から巻取りシャフトを抜き取って分離して集積している。
【０００３】
しかし、巻取りシャフトにシートを巻き取る際には、シートの移送速度に対して巻取りシャフトの周速を若干、早くして巻取りシャフトに対してシートを締め付けた状態で巻き取っている。このため、巻き取られたシートロールは巻取りシャフトに対して高い圧力で密着するため、該シートロールの中心部に位置する巻取りシャフトを抜き取って取り外すことが困難であった。特に、シートが合成樹脂シートの場合にあっては、シート自体が巻取りシャフトによる巻取り力により弾性的に大きく伸長するため、巻取りシャフトにシートを巻き取る際には、巻取りシャフトに伸長した状態で巻き取られたシート自体が弾性復帰して巻取りシャフトに対する締め付け力が高くなり、巻取りシャフトからシートロールを抜き取ることができなかった。
【０００４】
上記問題点を解決するため、例えば特許文献1に示すようにＢＯＸロールを、貫通孔が設けられた半円柱状部材を、その間隔を拡縮可能に連結して構成されたＢＯＸロール本体と、スライド溝に挿入される拡幅部を有する第１の拡幅部材と、上記拡幅部と同一の外形で、挿入孔を有する第２の拡幅部材とから構成した巻取りシャフトが提案されている。
【０００５】
上記巻取りシャフトは、巻き取り時に上記第１及び第２の拡幅部材をスライド溝内に挿入してＢＯＸロール本体の外径を大きくする一方、巻取り後には上記第１及び第２の拡幅部材を上記スライド溝から抜き取ってＢＯＸロール本体の外径を縮小して巻き取られたシートロールの抜き出しを容易化している。
【０００６】
しかし、上記巻取りシャフトにあっては、ＢＯＸロール本体の拡縮径幅が拡幅部の突出高さに依存するため、上記拡縮径幅を大きくすることが困難であった。このため、特に弾性的に伸縮し易い合成樹脂シートを巻き取る場合にあっては、巻取りシャフトに対して合成樹脂シートが上記移送速度と巻取りシャフトの周速差に応じた力で弾性的に伸長した状態で巻き取られて締め付け力が大きくなるため、拡縮径幅を大きく設定する必要があるが、上記巻取りシャフトでは、上記拡縮径幅を大きく設定することができず、巻取りシャフトからシートロールを簡易に抜き出すことができなかった。
【先行技術文献】
【特許文献】
【０００７】
【特許文献１】特開２００６−１３１３４４号公報
【発明の概要】
【発明が解決しようとする課題】
【０００８】
解決しようとする問題点は、巻取りシャフトの拡縮径幅が少なく、巻取りシャフトから巻き取られたシートロールを確実、かつ簡易に抜き取ることが困難な点にある。
【課題を解決するための手段】
【０００９】
本発明は、回転駆動部材に連結されて巻取り回転する駆動側回転体及び該駆動側回転体に対して合成樹脂シートの巻取り直交方向幅の間隔をおいて相対配置される従転側回転体の間にて軸線周りに等間隔をおいて設けられた複数本の巻付け軸に合成樹脂シートを巻付けて巻取る合成樹脂シート巻取りシャフトにおいて、上記駆動側回転体は、回転駆動部材に対して係脱可能に連結され、上記従動側回転体に相対する面に複数の軸支部が軸線周りに等間隔で設けられた駆動側ディスクを備えると共に上記従動側回転体は、各巻付け軸の他方端部が挿通されて半径方向へ移動可能な長孔を有し、かつ駆動側回転体に相対する側にテーパ状のガイド部を有した大径状の拡径保持部材が中空部内にて着脱可能に取付けられる有底円筒形状の従動側ドラムを備え、上記各巻付け軸の一方端部は、上記駆動回転体の各軸支部に対して巻付け軸が半径方向へ搖動するように軸支されると共に、上記各巻付け軸の他方端部は、上記従転側ドラムの中空部内に取り付けられた拡径保持部材の大径部及び従動側ドラムとの協働により各巻付け軸の軸線が互いに平行になる拡径状態に固定され、巻付け軸から巻取られた合成樹脂シートロールを取外す際には、従転側回転体から拡径保持部材を取外して巻付け軸他方端部の固定状態を解除して各巻付け軸を他方端部が互いに近づく縮径方向へ搖動して巻取られた合成樹脂シートロールを各巻付け軸から抜取り可能にすることを最も主要な特徴とする。
【発明の効果】
【００１０】
本発明は、拡縮径幅を大きく設定することができ、巻き取られたシートロールを簡易な作業で確実に抜き取って分離することができる。
【図面の簡単な説明】
【００１１】
【図１】巻取りシャフトの全体斜視図である。
【図２】巻取りシャフトの駆動側を示す説明図である。
【図３】巻取りシャフトの従動側を示す説明図である。
【図４】従動側回転体に対する拡径保持部材の取付け状態を示す断面説明図である。
【図５】駆動側回転体に対する電動モータの連結状態を示す断面説明図である。
【図６】従動側回転体から拡径保持部材を取外す状態を示す断面説明図である。
【図７】巻付け軸から従動回転体を取り外した状態を示す断面説明図である。
【図８】巻付け軸からシートロールを取外す状態を示す断面説明図である。
【発明を実施するための形態】
【００１２】
巻付け軸から巻取られた合成樹脂シートロールを取外す際には、従転側回転体から拡径保持部材を取外して巻付け軸他方端部の固定状態を解除して各巻付け軸を他方端部が互いに近づく縮径方向へ搖動して巻取られた合成樹脂シートロールを各巻付け軸から抜取り可能にすることを最良の実施形態とする。
【実施例１】
【００１３】
以下、実施例を示す図に従って本発明を説明する。
図１〜図３に示すように、巻取りシャフト１は合成樹脂シート等の各種シート（図示せず）を巻き取るもので、該シートの巻取り直交方向幅の間隔をおいて相対配置される駆動側回転体５及び従転側回転体７と、これら駆動側回転体５及び従転側回転体７間にて巻取りシャフト１の軸線と一致する方向に軸線を有して周方向の等分割位置に架け渡される３本の巻付け軸９から構成される。なお、巻付け軸９の本数は上記３本に限定されるものではなく、それ以上であってもよい。
【００１４】
上記駆動側回転体５は外側に位置する駆動側ディスク１１と該駆動側ディスク１１の内側にて同心に固定される駆動側ドラム１３から構成され、巻取り装置（図示せず）の本体フレーム１５に回転可能に軸支された前後一対の支持ローラ１７上にて回転可能に支持される。また、上記駆動側ドラム１３の中心部に形成された軸支部１３ａには駆動側ディスク１１の中心部に形成された貫通孔１１ａを挿通する被連結部材１９が軸線方向へ摺動するように支持され、該被連結部材１９の先端部には上記軸線と直交方向へ延びる被係合凹部１９ａが形成される。
【００１５】
上記駆動側ディスク１１の内面には３個の軸支部材２１が周方向に対して等分割位置に固定されると共に駆動側ドラム１３には半径方向へ延びる長孔１３ｂが上記軸支部材２１に対応して形成される。そして駆動側ドラム１３の各長孔１３ｂ内に挿入された各巻付け軸９の一方軸端部は上記軸支部材２１に対して巻付け軸９が半径方向へ搖動するように軸支される。
【００１６】
また、駆動側回転体５側の本体フレーム１５には被連結部材１９に一致して上記軸線方向へ延出する出力軸を有した回転駆動部材としての電動モータ２３が固定される。該電動モータ２３の出力軸には上記被係合凹部１９ａに係合する係合突部２５ａを有した連結部材２５が固定される。
【００１７】
上記従転側回転体７は外側に位置する従転側ディスク２７と該従転側ディスク２７の外側にて同心に固定される従転側ドラム２９から構成され、巻取り装置（図示せず）の本体フレーム１５に回転可能に軸支された前後一対の支持ローラ３１上にて回転可能に支持される。上記従転側ディスク２７の中心部にはねじ穴２７ａが形成されると共に従転側ドラム２９の中心部には貫通孔２９ａがそれぞれ形成される。また、従転側ディスク２７の外周側には半径方向へ延出する３個の長孔２７ｂが上記駆動側ドラム１３の各長孔１３ｂにそれぞれ一致して形成され、各長孔２７ｂ内には上記各巻き付け軸９の各他方端部が挿入されて支持される。
【００１８】
上記従転側ディスク２７のねじ穴２７ａには拡径保持部材３３が従転側ドラム２９の貫通孔２９ａ内を挿通して上記ねじ穴２７ａにねじ止めされる。上記拡径保持部材３３は先端部に上記ねじ穴２７ａに螺合されるねじ部を有した回転軸３３ａに固着され、上記駆動側回転体５における巻付け軸９の支持半径と一致して上記長孔２７ｂ内に挿入されて従転側ドラム２９内に位置する巻付け軸９の他方端部を支持する大径部３３ｂ及び先端側に先端へ向かって徐々に小径になるテーパ状のガイド部３３ｃが一体に形成された形状からなる。なお、図中の符号３３ｄは拡径保持部材３３を回転操作するための操作部である。
【００１９】
次に上記のように構成された巻取りシャフト１によるシートの巻取り作用及び巻き取られたロールシートの取外し作用を説明する。
シートの巻取り時においては、従転側回転体７における従転側ディスク２７の長孔２７ｂ内に各巻付け軸９の他方端部を挿入して状態で拡径保持部材３３を従転側ドラム２９の貫通孔２９ａ内に挿入した状態でねじ部をねじ穴２７ａに螺合してねじ止めする。従転側ドラム２９の貫通孔２９ａ内に拡径保持部材３３を挿入する際には長孔２７ｂ内に挿入されて従転側ドラム２９内に位置する各巻付け軸９の他方端部に対するガイド３３ｃの摺接により上記他方端部を拡径方向へ搖動するように案内して大径部３３ｂの外周面上に位置させる。（図４参照）
【００２０】
そして各巻付け軸９の他方端部が大径部３３ｂの外周面上に位置した際には上記長孔２７ｂの外周側端部との協働により上記他方端部を挟持して固定させる。これにより各巻付け軸９は所定の拡径位置にて互いに軸線が平行状態にセットして巻取りシャフト１を組み立てる。
【００２１】
上記のように組み立てられた巻取りシャフト１を、駆動側回転体５の駆動側ディスク１１が支持ローラ１７上に、従動側回転体７の従動側ドラム２９が支持ローラ３１上に位置するように配置した後、駆動側ディスク１１に対して被連結部材１９を軸線方向外側へ移動して被係合凹部１９ａに電動モータ２３の回転軸に固定された連結部材２５の係合突部２５ａを係合させる。（図５参照）
【００２２】
上記状態にて巻き取るシートの前端部を巻取り軸９に固着した後、電動モータ２３を駆動して支持ローラ１７・３１上に支持された巻取りシャフト１を巻取り方向へ回転して移送されるシートを巻き取る。シートの巻取り時においては、シートの移送速度に対して巻取りシャフト１の周速が若干、早くなるように電動モータ２３の回転速度を制御してシートに張力を作用させた緊張状態で巻き取る。
【００２３】
シートが合成樹脂シートの場合には、巻取りシャフト１に対し、上記張力により弾性的に伸長させられながら巻き取られる。このため、巻取りシャフト１に巻き取られたシートは、その弾性復元力により縮小して締め付け状態で巻き取られる。
【００２４】
上記巻取り作用により巻き取られたシートのシートロール３５を巻取りシャフト１から取り外すには、先ず、駆動側回転体５の駆動側ディスク１１に対して被連結部材１９を軸線方向内側へ移動して被係合凹部１９ａに対する係合突部２５ａの係合を解除させる。次に、上記状態にてクレーン等（図示せず）を使用して巻取りシャフト１をシートロール３５の取外しヤードへ移動した後、従転回転体７から拡径保持部材３３を取り外す。（図６参照）
【００２５】
即ち、操作部３３ｄを回動操作して回転軸３３ａをねじ穴２７ａに対するねじ部の螺合が解除される方向へ回転されると、拡径保持部材３３が軸線方向外側へ移動される。これにより大径部３３ｂの外周面と長孔２７ａの一方端部の間で挟持されていた各巻付け軸９の他方端部は拡径保持部材３３の移動に伴って上記挟持状態が解除される。そして操作部３３ｄの回動装置に伴って拡径保持部材３３を従転側ドラム２９の貫通孔２９ａから抜き出した後、各巻付け軸９の他方端部から従転回転体７を取り外す。（図７参照）
【００２６】
これにより各巻付け軸９は一方軸端部を支持する軸支部材２１を中心に他方端部が互いに近づく方向、従って各他方端部を結ぶ仮想線の直径が縮径する方向へ搖動し、シートロール３５における中心中空部の内面に対する支持状態が解除され、各巻付け軸９からシートロール３５を抜き出し可能にさせる。（図８参照）
【００２７】
本実施例は、従転側回転体７から拡径保持部材３３を取り外すことにより各巻付け軸９の他方端部側を互いに近づくように縮径することによりシートロール３５の中心中空部の内面と巻付け軸９の間に間隙を形成して巻取りシャフト１からシートロール３５を取外し可能にする。このとき、各巻取り軸９を、その他方端部が互いに接触する位置まで搖動させることによりシートロール３５の中心中空部の内面と巻付け軸９の間に大きな間隙を形成することができ、巻取りシャフト１からのシートロール３５の取外し作業を容易化することができる。
【００２８】
上記説明は、駆動側回転体５に対して巻付け軸９の一方端部を軸支部材２１にて搖動可能に支持する構成としたが、駆動側回転体５に対して巻付け軸９の一方端部を固定的に取付け、各巻付け軸９自体が有する剛性により他方端部が互いに近づく方向へ撓ませて巻取りシャフト１からシートロール３５を抜き取り可能にしてもよい。
【符号の説明】
【００２９】
１  巻取りシャフト
５  駆動側回転体
７  従動側回転体
９  巻付け軸
１１  駆動側ディスク
１１ａ  貫通孔
１３  駆動側ドラム
１３ａ  軸支部
１３ｂ  長孔
１５  本体フレーム
１７  支持ローラ
１９  被連結部材
１９ａ  被係合凹部
２１  軸支部材
２３  回転駆動部材としての電動モータ
２５  連結部材
２５ａ  係合突部
２７  従動側ディスク
２７ａ  ねじ穴
２７ｂ  長孔
２９  従動側ドラム
２９ａ  貫通孔
３１  支持ローラ
３３  拡径保持部材
３３ａ  回転軸
３３ｂ  大径部
３３ｃ  ガイド部
３３ｄ  操作部
３５  シートロール
【図１】
0005737781.tif 000002
【図２】
0005737781.tif 000003
【図３】
0005737781.tif 000004
【図４】
0005737781.tif 000005
【図５】
0005737781.tif 000006
【図６】
0005737781.tif 000007
【図７】
0005737781.tif 000008
【図８】
0005737781.tif 000009